【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
導電要素、導電面、および上記導電要素を上記導電面から電気的に絶縁するよう構成される絶縁部材を有する第１コネクタと、
第１端にて開口し上記第１コネクタを受容するよう第１及び第２端を伴う内側空洞を規定するコネクタ本体、上記内部空洞内にあり上記導電要素と結合して第１電気回線を形成するよう構成される第１導電張力部材、上記内部空洞内にあり上記導電面と結合して第２電気回線を形成するよう構成される第２導電張力部材、および上記内部空洞内にあり上記絶縁部材と結合して上記第１電気回線を上記第２電気回線から絶縁する第１シールを備える第２コネクタと、
を備え、
上記第１コネクタの導電面が、上記導電要素および上記絶縁部材の一部を囲み、
上記絶縁部材が、上記導電要素の一部を囲む、
電気接続システム。
【請求項２】
上記第２コネクタが上記第１コネクタに対して１４ニュートンを超えない挿入力を有する請求項１記載のシステム。
【請求項３】
上記第２コネクタが上記第１コネクタに対して少なくとも５ニュートンの保持力を有する請求項１記載のシステム。
【請求項４】
上記第１コネクタ及び上記第２コネクタが単一方向性の機械的結合をなすよう構成された請求項１記載のシステム。
【請求項５】
上記第２コネクタは、更に、上記第１コネクタと結合し上記内部空洞を絶縁するよう構成された第２シールを備える請求項１記載のシステム。
【請求項６】
上記第２シールが可撓性素材による環を備え、上記環が、上記内部空洞内にあるとき上記第１コネクタと接触する複数の環状畝を有する請求項５記載のシステム。
【請求項７】
上記可撓性材料がモールドラバーである請求項６記載のシステム。
【請求項８】
上記第２シールが、上記内部空洞の上記第１端に実質的に隣り合う第１環状溝内に配置された請求項５記載のシステム。
【請求項９】
上記コネクタ本体が、上記内部空洞の上記第１端を規定する第１導電本体部材、上記内部空洞の上記第２端を規定する第２導電本体部材、並びに上記第１導電本体部材と上記第２導電本体部材との間を結合する中間絶縁体を備える請求項１記載のシステム。
【請求項１０】
上記第１導電本体部材が鋼から構成される請求項９記載のシステム。
【請求項１１】
上記第２導電本体部材が鋼から構成される請求項９記載のシステム。
【請求項１２】
上記中間絶縁体が弾性を有する非導電性素材から構成される請求項９記載のシステム。
【請求項１３】
上記弾性を有する非導電性素材がポリスルフォンである請求項１２記載のシステム。
【請求項１４】
上記第１導電本体部材の内部に、その中に上記第１導電張力部材が配置される環状溝を備える請求項９記載のシステム。
【請求項１５】
上記第２コネクタが更に上記第１導電張力部材と上記中間絶縁体の間で上記環状溝に組み込まれた抗摩損部材を備える請求項１４記載のシステム。
【請求項１６】
上記抗摩損部材がワッシャを備える請求項１５記載のシステム。
【請求項１７】
上記第１導電張力部材がトロイダルスプリングを備える請求項１４記載のシステム。
【請求項１８】
上記中間絶縁体が、その内部を上記第１シールが占める環状溝を備える請求項９記載のシステム。
【請求項１９】
上記第２導電本体部材の内部に、その中に上記第２導電張力部材が配置される環状溝を備える請求項９記載のシステム。
【請求項２０】
上記第２コネクタが更に上記第２導電張力部材と上記中間絶縁体の間で上記環状溝に組み込まれた抗摩損部材を備える請求項１９記載のシステム。
【請求項２１】
上記抗摩損部材がワッシャを備える請求項２０記載のシステム。
【請求項２２】
上記第２導電張力部材がトロイダルスプリングを備える請求項２１記載のシステム。
【請求項２３】
上記第１コネクタに結合した二導体電気ケーブルを備える請求項１記載のシステム。
【請求項２４】
上記第１コネクタに隣接する編み管を介し、上記ケーブルが上記第１コネクタに結合される請求項２３記載のシステム。
【請求項２５】
上記編み管に可撓性絶縁素材が浸透した請求項２４記載のシステム。
【請求項２６】
上記編み管が上記可撓性絶縁素材により上掛けモールドされ上記ケーブルとほぼ同一直径とされた請求項２５記載のシステム。
【請求項２７】
上記第１コネクタが上記ケーブルの直径未満の又は当該直径とほぼ等しい直径を有する請求項２６記載のシステム。
【請求項２８】
上記編み管が鋼のメッシュを備える請求項２４記載のシステム。
【請求項２９】
上記ケーブルが、第１螺旋状リボン導体を備える外側コイルと、上記外側コイルより内側にあり第２螺旋状リボン導体を備える内側コイルと、上記内側コイルと上記外側コイルとの間を絶縁する内側絶縁管と、上記外側コイルを取り巻く外側絶縁管とを、備える請求項２３記載のシステム。
【請求項３０】
上記第１螺旋状リボン導体がリボンストリップを構成する複数の相隣接した導電ワイヤを備え、上記リボンストリップが中心軸周りに螺旋を形成するようひねられた請求項２９記載のシステム。
【請求項３１】
上記導電ワイヤそれぞれが、コバルト合金層でくるまれた銀コアを備える請求項３０記載のシステム。
【請求項３２】
上記リボンストリップが最大距離を有するよう構成されており、当該最大距離内で、上記複数の隣接するワイヤのうち何れもが上記リボンストリップに対してオフセットしうる請求項３０記載のシステム。
【請求項３３】
上記内側コイルが上記導電ピンに結合し上記外側コイルが上記導電面に結合した請求項２９記載のシステム。
【請求項３４】
上記第２コネクタに結合した二導体電気ケーブルを備える請求項９記載のシステム。
【請求項３５】
上記ケーブルが、第１螺旋状リボン導体を備える外側コイルと、上記外側コイルより内側にあり第２螺旋状リボン導体を備える内側コイルと、上記内側コイルと上記外側コイルとの間を絶縁する内側絶縁管と、上記外側コイルを取り巻く外側絶縁管とを、備える請求項３４記載のシステム。
【請求項３６】
上記第１螺旋状リボン導体がリボンストリップを構成する複数の相隣接した導電ワイヤを備え、上記リボンストリップが中心軸周りに螺旋を形成するようひねられた請求項３５記載のシステム。
【請求項３７】
上記導電ワイヤそれぞれが、コバルト合金層でくるまれた銀コアを備える請求項３６記載のシステム。
【請求項３８】
上記リボンストリップが最大距離を有するよう構成されており、当該最大距離内で、上記複数の隣接するワイヤのうち何れもが上記リボンストリップに対してオフセットしうる請求項３６記載のシステム。
【請求項３９】
上記内側コイルが上記第１導電本体部材と結合し、上記外側コイルが上記コネクタ本体の外表面を取り巻き、上記外側コイルが上記第２導電本体部材の外表面と電気的に結合した請求項３５記載のシステム。
【請求項４０】
更に、上記コネクタ本体及び上記外側コイルの外表面を取り巻く電気的絶縁層を備える請求項３９記載のシステム。
【請求項４１】
上記絶縁層が埋込対象患者内に上記第２コネクタを縫い合わせるための手段を備える患者埋込用の請求項４０記載のシステム。
【請求項４２】
上記導電面が円筒面である請求項１記載のシステム。
【請求項４３】
上記絶縁部材が、上記導電要素の露出している表面を上記導電面の露出している表面から電気的に絶縁し、上記導電要素の覆われた表面を上記導電面の覆われた表面から電気的に絶縁するように構成される、請求項１に記載の電気接続システム。
【請求項４４】
上記導電面が、外側表面と内側表面とを備え、上記内側表面は、上記導電要素が延伸する内側空間を規定しており、
上記絶縁部材は、上記導電要素の露出した表面を上記導電面の外側表面から電気的に絶縁し、上記導電要素の覆われた表面を上記導電面の内側表面から電気的に絶縁するよう構成される、請求項１に記載の電気接続システム。
【請求項４５】
オスコネクタを受容するための内部空洞を規定するコネクタ本体と、上記内部空洞内に配置された第１導電張力部材と、上記内部空洞内に配置された第２導電張力部材と、上記内部空洞に配置されたシールとを有するメスコネクタ内へと装着されるオスコネクタであって、
第１電気回線を形成するように前記第１導電張力部材と結合するよう構成された導電要素と、
第２電気回線を形成するように前記第２導電張力部材と結合するよう構成された導電面と、
上記導電面から上記導電要素を電気的に絶縁するために構成された絶縁部材であって、上記第２電気回線から上記第１電気回線を絶縁する上記シールと結合する絶縁部材と、
を有し、
上記導電面が、上記導電要素と上記絶縁部材の一部を囲み、
上記絶縁部材が上記導電要素の一部を囲む、
オスコネクタ。
【請求項４６】
上記絶縁部材が、上記導電要素の露出している表面を上記導電面の露出している表面から電気的に絶縁し、上記導電要素の覆われた表面を上記導電表面の覆われた表面から電気的に絶縁するように構成される、請求項４５に記載のオスコネクタ。
【請求項４７】
上記導電面が、外側表面と内側表面とを備え、上記内側表面は、上記導電要素が延伸する内部空間を規定しており、
上記絶縁部材は、上記導電要素の露出した表面を上記導電面の外側表面から電気的に絶縁し、上記導電要素の覆われた表面を上記導電面の内側表面から電気的に絶縁するように構成される、請求項４５に記載のオスコネクタ。